(57)【要約】  本発明は、無限型の表現型の原因となる遺伝的決定因子を含む種間ヘリアンツス（Ｈｅｌｉａｎｔｈｕｓ）植物を提供する。前記植物を作る方法も提供される。
2018521668.tif 000002
【特許請求の範囲】
【請求項１】
無限型の表現型の原因となる遺伝的決定因子を含む種間ヘリアンツス（Ｈｅｌｉａｎｔｈｕｓ）植物。
【請求項２】
ヘリアンツス（Ｈｅｌｉａｎｔｈｕｓ）植物と、無限型の表現型の原因となる遺伝的決定因子を含む別のヘリアンツス（Ｈｅｌｉａｎｔｈｕｓ）植物とを交雑させることによって得ることができ、無限型の表現型の原因となる遺伝的決定因子を含む前記植物の代表的な種子のサンプルがＮＣＩＭＢ受入番号４２２００で寄託されている、請求項１に記載の種間ヘリアンツス（Ｈｅｌｉａｎｔｈｕｓ）植物。
【請求項３】
前記無限型の表現型の原因となる遺伝的決定因子が、ＮＣＩＭＢ受入番号４２２００で寄託された種子から成長させた植物において見出され得る、請求項１に記載の種間ヘリアンツス（Ｈｅｌｉａｎｔｈｕｓ）植物。
【請求項４】
前記植物が、Ｈ．アンヌウス（Ｈ．ａｎｎｕｕｓ）及びＨ．アルゴフィルス（Ｈ．ａｒｇｏｐｈｙｌｌｕｓ）から作られる、請求項１〜３のいずれか一項に記載の種間ヘリアンツス（Ｈｅｌｉａｎｔｈｕｓ）植物。
【請求項５】
無限型の表現型の原因となる遺伝的決定因子を含むヘリアンツス（Ｈｅｌｉａｎｔｈｕｓ）種子であって、請求項１〜４のいずれか一項に記載の植物から得ることができる種子。
【請求項６】
請求項５に記載の種子を成長させることによって生産されるヘリアンツス（Ｈｅｌｉａｎｔｈｕｓ）植物。
【請求項７】
第１の親ヘリアンツス（Ｈｅｌｉａｎｔｈｕｓ）植物と、第２の親ヘリアンツス（Ｈｅｌｉａｎｔｈｕｓ）植物とを交雑させる工程と、
得られたＦ1ハイブリッドヘリアンツス（Ｈｅｌｉａｎｔｈｕｓ）種子を収穫する工程と、
を含むことを特徴とする、請求項５に記載のハイブリッドヘリアンツス（Ｈｅｌｉａｎｔｈｕｓ）種子の生産方法。
【請求項８】
請求項７に記載の方法によって生産されるハイブリッド種子。
【請求項９】
請求項８に記載のハイブリッド種子を成長させることによって生産されるハイブリッド植物又はその部位。
【請求項１０】
請求項９に記載のハイブリッド植物から生産される、無限型の表現型の原因となる遺伝的決定因子を含む種子。
【請求項１１】
ＮＣＩＭＢ受入番号４２２００で寄託された生存可能なヘリアンツス（Ｈｅｌｉａｎｔｈｕｓ）種子、及び前記寄託された種子から成長させた植物、又は無限型の表現型の遺伝的決定因子を含有するその子孫。
【発明の詳細な説明】
【技術分野】
【０００１】
本発明は、ヘリアンツス・アンヌウス（Ｈｅｌｉａｎｔｈｕｓ  ａｎｎｕｕｓ）×ヘリアンツス・アルゴフィルス（Ｈｅｌｉａｎｔｈｕｓ  ａｒｇｏｐｈｙｌｌｕｓ）から作られる植物に関する。特に、Ｈ．アンヌウス（Ｈ．ａｎｎｕｕｓ）×Ｈ．アルゴフィルス（Ｈ．ａｒｇｏｐｈｙｌｌｕｓ）から作られる無限型の（ｉｎｄｅｔｅｒｍｉｎａｔｅ）表現型を含む種間ハイブリッドヒマワリ植物に関する。
【背景技術】
【０００２】
序論
ヘリアンツス（Ｈｅｌｉａｎｔｈｕｓ）はキク科（Ａｓｔｅｒａｃｅａｅ）の約７０種を含む植物の属であり、これらは、南アメリカ原産の３種を除く全てが北アメリカを原産とする。一般的なヒマワリである人気のある一年生種ヘリアンツス・アンヌウス（Ｈｅｌｉａｎｔｈｕｓ  ａｎｎｕｕｓ）には慣用名「ヒマワリ」も適用される。この種及び他の種、特にキクイモ（Ｊｅｒｕｓａｌｅｍ  ａｒｔｉｃｈｏｋｅ）（Ｈ．ツベロスス（Ｈ．ｔｕｂｅｒｏｓｕｓ））は、食用作物及び観賞植物として温帯地域で栽培される。
【０００３】
鉢植えタイプのヒマワリの市場は、北アメリカ及び世界の他の地域において急速に成長している。しかしながら、現在の市販の鉢植えヒマワリにはいくつかの不都合がある。これらは、多くの場合、丈が高すぎて出荷用ラックに収めることが容易でなく、十分に枝分かれしておらず、開花期が短い。
【０００４】
本出願は、これらの不都合に予想外に対処する、ヘリアンツス・アンヌウス（Ｈｅｌｉａｎｔｈｕｓ  ａｎｎｕｕｓ）×ヘリアンツス・アルゴフィルス（Ｈｅｌｉａｎｔｈｕｓ  ａｒｇｏｐｈｙｌｌｕｓ）植物から作られる新しい無限型種間植物種について記載する。
【０００５】
従来のヘリアンツス（Ｈｅｌｉａｎｔｈｕｓ）植物とは違って、本発明の植物は、新しい枝、シュート及び花を成長させ続ける。
【０００６】
この新しい無限型種は、鉢植え花及び切り花の使用を超えて、大型ミックスコンテナ（ｍｉｘ  ｃｏｎｔａｉｎｅｒ）及びランドスケープを含むように、観賞用ヒマワリの使用を拡大する可能性を有し、それにより、観賞用ヒマワリの市場が全体的に拡大される。
【発明の概要】
【課題を解決するための手段】
【０００７】
本発明の発明者らは、従来のヘリアンツス（Ｈｅｌｉａｎｔｈｕｓ）植物の枝分かれ及び開花の特徴と比較して驚くほど高レベルの枝分かれ、高レベルの連続的開花、及び無限型の表現型を有する種間ハイブリッドヒマワリ植物を開発した。
【０００８】
本発明は、無限型の表現型の原因となる遺伝的決定因子を含む種間ヘリアンツス（Ｈｅｌｉａｎｔｈｕｓ）植物に関する。
【０００９】
一実施形態では、本発明の種間ヘリアンツス（Ｈｅｌｉａｎｔｈｕｓ）植物は、無限型の表現型の原因となる遺伝的決定因子を含むヘリアンツス（Ｈｅｌｉａｎｔｈｕｓ）植物との交雑によって得ることができ、無限型の表現型の原因となる遺伝的決定因子を含む前記植物の代表的な種子のサンプルは、ＮＣＩＭＢ受入番号４２２００で寄託されている。
【００１０】
本発明は無限型の表現型の原因となる遺伝的決定因子を含むヘリアンツス（Ｈｅｌｉａｎｔｈｕｓ）植物を提供し、無限型の表現型の原因となる前記遺伝的決定因子は、ＮＣＩＭＢ受入番号４２２００で寄託された種子から成長させた植物において見出すことができる。
【００１１】
また本発明は無限型の表現型の原因となる遺伝的決定因子を含むヘリアンツス（Ｈｅｌｉａｎｔｈｕｓ）種子も提供し、前記種子は、ＮＣＩＭＢ受入番号４２２００で寄託された種子から成長させた植物又はその子孫から得ることができる。
【００１２】
本発明は、本発明の植物からのヘリアンツス（Ｈｅｌｉａｎｔｈｕｓ）種子を提供する。
【００１３】
本発明は、本発明の植物からの種子を成長させることによって生産されるヘリアンツス（Ｈｅｌｉａｎｔｈｕｓ）植物を提供する。
【００１４】
一実施形態では、本発明の植物は、Ｈ．アンヌウス（Ｈ．ａｎｎｕｕｓ）及びＨ．アルゴフィルス（Ｈ．ａｒｇｏｐｈｙｌｌｕｓ）から得ることができる種間植物である。
【００１５】
本発明は、第１の親ヘリアンツス（Ｈｅｌｉａｎｔｈｕｓ）植物と、第２の親ヘリアンツス（Ｈｅｌｉａｎｔｈｕｓ）植物とを交雑させる工程と、得られたＦ1ハイブリッドヘリアンツス（Ｈｅｌｉａｎｔｈｕｓ）種子を収穫する工程とを含む、本発明の植物のＦ1ハイブリッドヘリアンツス（Ｈｅｌｉａｎｔｈｕｓ）種子の生産方法を提供する。
【００１６】
一実施形態では、第１のヘリアンツス（Ｈｅｌｉａｎｔｈｕｓ）植物はＨ．アンヌウス（Ｈ．ａｎｎｕｕｓ）であり、第２のヘリアンツス（Ｈｅｌｉａｎｔｈｕｓ）植物はＨ．アルゴフィルス（Ｈ．ａｒｇｏｐｈｙｌｌｕｓ）である。
【００１７】
本発明は、本発明の方法によって生産される植物の種子を提供する。
【００１８】
本発明は、本発明の前記ハイブリッド種子を成長させることによって生産されるハイブリッド植物又はその部位を提供する。
【００１９】
本発明は、本発明のハイブリッド植物から生産される、無限型の表現型の原因となる遺伝的決定因子を含む種子を提供する。
【００２０】
本発明は、ＮＣＩＭＢ受入番号４２２００で寄託された生存可能なヘリアンツス（Ｈｅｌｉａｎｔｈｕｓ）種子及び前記寄託された種子から成長させた植物及びその子孫を提供する。
【図面の簡単な説明】
【００２１】
【図１】本発明の典型的な植物を示す。
【発明を実施するための形態】
【００２２】
本発明は、無限型の表現型の原因となる遺伝的決定因子を含むヘリアンツス（Ｈｅｌｉａｎｔｈｕｓ）植物を提供する。
【００２３】
本発明の典型的な植物は図１に示される。
【００２４】
一実施形態では、本発明のヘリアンツス（Ｈｅｌｉａｎｔｈｕｓ）植物は、ヘリアンツス（Ｈｅｌｉａｎｔｈｕｓ）植物と、無限型の表現型の原因となる遺伝的決定因子を含む別のヘリアンツス（Ｈｅｌｉａｎｔｈｕｓ）植物とを交雑させることによって得ることができる種間植物であり、無限型の表現型の原因となる遺伝的決定因子を含む前記植物の代表的な種子のサンプルは、ＮＣＩＭＢ受入番号４２２００で寄託されている。一実施形態では、無限型の表現型は優性である。
【００２５】
一実施形態では、本発明の植物は、Ｈ．アンヌウス（Ｈ．ａｎｎｕｕｓ）及びＨ．アルゴフィルス（Ｈ．ａｒｇｏｐｈｙｌｌｕｓ）から作られる種間植物である。
【００２６】
一実施形態では、本発明の植物は、ヘリアンツス・デビリス（Ｈｅｌｉａｎｔｈｕｓ  ｄｅｂｉｌｉｓ）及び別のヘリアンツス（Ｈｅｌｉａｎｔｈｕｓ）植物から作られる種間植物である。
【００２７】
一実施形態では、本発明のヘリアンツス（Ｈｅｌｉａｎｔｈｕｓ）植物は、高さが９０ｃｍ未満、より好ましくは８０ｃｍ未満であり、より好ましくは高さが７０ｃｍ未満である。
【００２８】
一実施形態では、本発明のヘリアンツス（Ｈｅｌｉａｎｔｈｕｓ）植物は、高さが６０ｃｍを超える。
【００２９】
一実施形態では、本発明の植物を作るために使用される対応する種子親系統の高さは、３５ｃｍ〜４５ｃｍの間である。
【００３０】
一実施形態では、本発明のヘリアンツス（Ｈｅｌｉａｎｔｈｕｓ）植物は、少なくとも８０個の花、より好ましくは少なくとも９０個の花、より好ましくは少なくとも１００個の花、より好ましくは少なくとも１１０個の花を有する。
【００３１】
一実施形態では、本発明のヘリアンツス（Ｈｅｌｉａｎｔｈｕｓ）植物は、８０個〜１２０個の間の花を有する。
【００３２】
一実施形態では、本発明のヘリアンツス（Ｈｅｌｉａｎｔｈｕｓ）植物は、１４０ｃｍ〜１６０ｃｍの間の幅を有する。
【００３３】
一実施形態では、本発明のヘリアンツス（Ｈｅｌｉａｎｔｈｕｓ）植物は、第２の花の直径が少なくとも１４ｃｍ、より好ましくは少なくとも１５ｃｍ、最も好ましくは少なくとも１６ｃｍである。
【００３４】
一実施形態では、本発明のヘリアンツス（Ｈｅｌｉａｎｔｈｕｓ）植物は、第２の花の直径が１５ｃｍ〜１７ｃｍの間である。
【００３５】
一実施形態では、植物の高さ、花の数、植物の幅、及び花の直径は、本明細書に記載される典型的な環境条件下で測定される。一実施形態では、これらの測定は、最終植物から得られる。
【００３６】
本発明の植物は、本明細書で定義されるように、十分に枝分かれしており、かつ早期に開花する。
【００３７】
一実施形態では、本発明のヘリアンツス（Ｈｅｌｉａｎｔｈｕｓ）植物は、無花粉の花を有する。無花粉の花は、ストレスの多い条件（例えば、水が少ない、及び／又は肥料が少ないか全くない、など）の不在下で成長させたときに、目に見える花粉を有さない。
【００３８】
一実施形態では、本発明のヘリアンツス（Ｈｅｌｉａｎｔｈｕｓ）植物は、中日性の開花反応を有する。
【００３９】
一実施形態では、本発明に従うヘリアンツス（Ｈｅｌｉａｎｔｈｕｓ）植物は、一年生植物である。
【００４０】
本発明は無限型の表現型の原因となる遺伝的決定因子を含むヘリアンツス（Ｈｅｌｉａｎｔｈｕｓ）植物を提供し、無限型の表現型の原因となる前記遺伝的決定因子は、ＮＣＩＭＢ受入番号４２２００で寄託された種子から成長させた植物において見出すことができる。
【００４１】
本発明は無限型の表現型の原因となる遺伝的決定因子を含むヘリアンツス（Ｈｅｌｉａｎｔｈｕｓ）種子を提供し、前記種子は、ＮＣＩＭＢ受入番号４２２００で寄託された種子から成長させた植物又はその子孫から得ることができる。
【００４２】
本発明は無限型の表現型の原因となる遺伝的決定因子を含むヘリアンツス（Ｈｅｌｉａｎｔｈｕｓ）種子を提供し、前記種子は、植物ヘリアンツス（Ｈｅｌｉａｎｔｈｕｓ）種間ハイブリッドＹｅｌｌｏｗ  Ｄａｒｋ  Ｃｅｎｔｒｅ  ７００５２８２８（ＳＵＯ２２＝ＳＵＬ１）を含む系統を有し、前記植物の代表的な種子は、ＮＣＩＭＢ受入番号４２２００で寄託されている。
【００４３】
本発明は無限型の表現型の原因となる遺伝的決定因子を含むヘリアンツス（Ｈｅｌｉａｎｔｈｕｓ）種子を提供し、前記遺伝的決定因子は、受入番号ＮＣＩＭＢ４２２００でＮＣＩＭＢに寄託されている種子の代表的なサンプルであるヘリアンツス（Ｈｅｌｉａｎｔｈｕｓ）種間ハイブリッドＹｅｌｌｏｗ  Ｄａｒｋ  Ｃｅｎｔｒｅ  ７００５２８２８（ＳＵＯ２２＝ＳＵＬ１）において、又は無限型の表現型の原因となる前記遺伝的決定因子を含むその子孫もしくは祖先において存在する。
【００４４】
一実施形態では、本発明の植物は、無限型の表現型の原因となる遺伝的決定因子を含む優良（ｅｌｉｔｅ）ヘリアンツス（Ｈｅｌｉａｎｔｈｕｓ）植物である。
【００４５】
一実施形態では、本発明の植物からのヘリアンツス（Ｈｅｌｉａｎｔｈｕｓ）種子は、無限型の表現型の原因となる遺伝的決定因子を含む。
【００４６】
本発明は、本発明の種子を成長させることによって生産されるヘリアンツス（Ｈｅｌｉａｎｔｈｕｓ）植物を提供する。
【００４７】
一実施形態では、本発明のヘリアンツス（Ｈｅｌｉａｎｔｈｕｓ）植物はハイブリッドである。一実施形態では、本発明のハイブリッドヘリアンツス（Ｈｅｌｉａｎｔｈｕｓ）植物は雄性不稔性である。
【００４８】
本発明は、本発明のヘリアンツス（Ｈｅｌｉａｎｔｈｕｓ）植物から生産される細胞の組織培養物を提供し、前記組織培養物の細胞は、種子、葉、花粉、胚、子葉、胚軸、分裂組織細胞、根、根端、雌しべ、葯、花、茎、及び葉柄からなる群から選択される植物部位から生産される。
【００４９】
本発明は、組織培養物から再生される本発明のヘリアンツス（Ｈｅｌｉａｎｔｈｕｓ）植物を提供する。
【００５０】
本発明は、本発明のヘリアンツス（Ｈｅｌｉａｎｔｈｕｓ）植物の胚珠を提供する。
【００５１】
本発明は、第１の親ヘリアンツス（Ｈｅｌｉａｎｔｈｕｓ）植物と、第２の親ヘリアンツス（Ｈｅｌｉａｎｔｈｕｓ）植物とを交雑させる工程と、得られたＦ1ハイブリッドヘリアンツス（Ｈｅｌｉａｎｔｈｕｓ）種子を収穫する工程とを含む、Ｆ1ハイブリッドヘリアンツス（Ｈｅｌｉａｎｔｈｕｓ）種子の生産方法を提供する。
【００５２】
一実施形態では、第１の親植物は小型植物であり、第２の親植物は、無限型の表現型の原因となる遺伝因子を含む種ヘリアンツス・アルゴフィルス（Ｈｅｌｉａｎｔｈｕｓ  ａｒｇｏｐｈｙｌｌｕｓ）の植物である。一実施形態では、小型植物はＣＭＳ雌親である。一実施形態では、雌親は、黄色及び赤色の二色の小型植物である。一実施形態では、小型植物は雄親である。小型植物は、典型的な環境条件下、温室内の鉢で成長させると、通常約３８ｃｍの高さである。
【００５３】
本発明はさらに、本発明の植物と、別のヘリアンツス（Ｈｅｌｉａｎｔｈｕｓ）植物とを交雑させることによる、前記ヘリアンツス（Ｈｅｌｉａｎｔｈｕｓ）植物及び種子の生産方法に関する。また本発明は、ヘリアンツス（Ｈｅｌｉａｎｔｈｕｓ）以外の属への遺伝的決定因子の伝達又は遺伝子移入にも関する。
【００５４】
遺伝的決定因子を別の植物に伝達するために、戻し交雑育種を使用することができる。このために望ましいホモ接合性栽培品種又は近交系は反復親である。伝達すべき形質の供給源は、ドナー親と呼ばれる。得られた植物は、反復親（例えば、栽培品種）の特性と、ドナー親から伝達された望ましい形質とを有することが予想される。最初の交雑の後、ドナー親の表現型を有する個体が選択され、反復親に対して繰り返し交雑（戻し交雑）される。得られた植物は、反復親（例えば、栽培品種）の特性と、ドナー親から伝達された望ましい形質とを有することが予想される。
【００５５】
本発明に従う無限型の表現型の原因となる遺伝的決定因子のための適切なドナー親はヘリアンツス（Ｈｅｌｉａｎｔｈｕｓ）植物ヘリアンツス（Ｈｅｌｉａｎｔｈｕｓ）種間ハイブリッドＹｅｌｌｏｗ  Ｄａｒｋ  Ｃｅｎｔｒｅ  ７００５２８２８（ＳＵＯ２２＝ＳＵＬ１）でよく、その代表的な種子は、２０１４年１月１０日にＮＣＩＭＢ４２２００でＮＣＩＭＢ（Ｆｅｒｇｕｓｏｎ  Ｂｕｉｌｄｉｎｇ，Ｃｒａｉｂｓｔｏｎｅ  Ｅｓｔａｔｅ，Ｂｕｃｋｓｂｕｒｎ，Ａｂｅｒｄｅｅｎ  ＡＢ２１９ＹＡ，Ｓｃｏｔｌａｎｄ）に寄託されている。
【００５６】
従って、ヘリアンツス（Ｈｅｌｉａｎｔｈｕｓ）育種の当業者は、本発明の説明に基づいて、そしてヘリアンツス（Ｈｅｌｉａｎｔｈｕｓ）植物ヘリアンツス（Ｈｅｌｉａｎｔｈｕｓ）種間ハイブリッドＹｅｌｌｏｗ  Ｄａｒｋ  Ｃｅｎｔｒｅ  ７００５２８２８（ＳＵＯ２２＝ＳＵＬ１）（その代表的な種子は受入番号ＮＣＩＭＢ４２２００で寄託されている）を所有していれば、当該技術分野において周知の任意の育種技術を用いて、本発明に従う無限型の表現型の原因となる遺伝的決定因子を任意の他のヘリアンツス（Ｈｅｌｉａｎｔｈｕｓ）植物に伝達するのに何の困難もない。
【００５７】
本発明は、本発明の方法によって生産されるハイブリッド種子を提供する。
【００５８】
本発明は、本発明の種子を成長させることによって生産される本発明の植物又はその部位（切り花を含む）を提供する。一実施形態では、本発明の植物は、コンビネーションミックスコンテナ（ｃｏｍｂｉｎａｔｉｏｎ  ｍｉｘ  ｃｏｎｔａｉｎｅｒ）において使用される。
【００５９】
一実施形態では、本発明の植物は、栄養手段によって繁殖させることができる。
【００６０】
本発明は、本発明のハイブリッド植物から生産される無限型の表現型の原因となる遺伝的決定因子を含む種子を提供する。
【００６１】
本発明は、ＮＣＩＭＢ受入番号４２２００で寄託された生存可能なヘリアンツス（Ｈｅｌｉａｎｔｈｕｓ）種子、ならびに前記寄託種子から成長させた植物及びその子孫を提供し、子孫は無限型の表現型の遺伝的決定因子を含有する。
【００６２】
定義
本出願の範囲内で使用される技術用語及び表現は、一般的に、本明細書において以下で他に指示されない限り、植物育種及び栽培の関連技術においてそれらに普通に適用される意味が与えられるべきである。
【００６３】
本明細書及び特許請求の範囲において使用される場合、文脈が他に明白に指示しない限り、単数形「ａ」、「ａｎ」、及び「ｔｈｅ」は、複数の指示対照を含む。従って、例えば、「植物（単数）」への言及は、１つ又は複数の植物を含む。
【００６４】
本明細書で使用される場合、「育種」という用語及び文法的なその変化形は、子孫の個体を発生させる任意のプロセスを指す。育種は有性もしくは無性生殖的、又はこれらの任意の組み合わせであり得る。例示的な非限定的な種類の育種には、交雑、自殖、倍加半数体の派生的生成（ｄｏｕｂｌｅｄ  ｈａｐｌｏｉｄ  ｄｅｒｉｖａｔｉｖｅ  ｇｅｎｅｒａｔｉｏｎ）、倍数体化、及びこれらの組み合わせが含まれる。本発明の花の表現型は、育種によって容易かつ安定的に子孫に伝達され得る。
【００６５】
本明細書で使用される場合、植物の育種との関連での「ハイブリッド」という用語は、２つの近交系間の交雑を含むがこれに限定されない、異なる系統又は品種又は種の植物を交雑させることによって生産された、遺伝的に異なる親の子孫である植物を指す。
【００６６】
「栽培品種ヘリアンツス（Ｈｅｌｉａｎｔｈｕｓ）植物」又は「優良ヘリアンツス（Ｈｅｌｉａｎｔｈｕｓ）植物」は、本発明の範囲内では、もはや天然状態ではないが人の世話により、そして人の使用及び／又は消費のために発育された植物を指すと理解される。栽培品種植物又は優良植物の一例はヘリアンツス（Ｈｅｌｉａｎｔｈｕｓ）種間ハイブリッドＹｅｌｌｏｗ  Ｄａｒｋ  Ｃｅｎｔｒｅ  ７００５２８２８（ＳＵＯ２２＝ＳＵＬ１）であり、その代表的な種子は、受入番号ＮＣＩＭＢ４２２００で寄託されている。
【００６７】
「最終植物」は、開花し始めたばかりの植物であると定義される。通常開花は、本明細書に記載される典型的な環境条件下で成長させると、播種から約８５〜９０日（１２〜１３週間）で始まる。
【００６８】
「十分に枝分かれした植物」は、開花期に鉢内の植物１本につき６〜８本の枝を有する植物であると定義される。従来の鉢植えタイプのヘリアンツス（Ｈｅｌｉａｎｔｈｕｓ）植物は、鉢内の植物１本につき１本の主茎を有するだけである。
【００６９】
早期に開花する植物は、本明細書に記載される典型的な環境条件で成長させたときに約８５〜９０日で開花する植物であると定義される。
【００７０】
本発明の植物を成長させるための典型的な環境条件は、早春の播種の２１日後から晩秋までカリフォルニアにおいて、日光１４〜１６時間、及び１日の平均温度２７〜２９℃である。他に記載されない限り、本発明の植物は、これらの典型的な環境条件下で成長させると、記載される表現型を示す。
【００７１】
無限型の植物は、本明細書に記載される典型的な環境条件下で成長させると、最初の花が出現したときから連続的に枝分かれし、連続的に新しいシュートを出現させ、連続的に開花する植物であると定義される。
【００７２】
本明細書で使用される場合、「植物部位」という語句は、植物をそこから再生することができる、植物中の無傷の植物細胞などの単細胞及び細胞組織、細胞凝集塊、ならびに組織培養物を含む植物の部位を指す。植物部位の例としては、花粉、胚珠、葉、胚、根、根端、葯、花、果実、茎、苗条、及び種子からの単細胞及び組織、ならびに接ぎ穂、台木、プロトプラスト、カルスなどが挙げられるが、これらに限定されない。
【００７３】
本明細書で使用される場合、「子孫」という用語は、特定の交雑の派生物を指す。通常、子孫は２つの個体の育種から生じるが、同じ種（特に、いくつかの植物及び雌雄同体動物）は自殖させることもできる（すなわち、同じ植物がオス及びメスの両配偶子のドナーとしての機能を果たす）。派生物は、例えば、Ｆ1、Ｆ2、又はそれに続く任意の世代であり得る。
【００７４】
「形質」は、本発明の範囲内で、特徴又は表現型を指すと理解される。形質は優性的に遺伝されても劣性的に遺伝されてもよく、一遺伝子性でも多遺伝子性でもよい。
【００７５】
「優性」は、本発明の範囲内で、ヘテロ接合状態又はホモ接合状態で存在するときに表現型を決定する対立遺伝子を指すと理解される。
【００７６】
「劣性」対立遺伝子は、ホモ接合状態で存在するときにのみ表示される。
【００７７】
種子寄託の詳細
Ｈ．アンヌウス（Ｈ．ａｎｎｕｕｓ）及びＨ．アルゴフィルス（Ｈ．ａｒｇｏｐｈｙｌｌｕｓ）から作られた変種ヘリアンツス（Ｈｅｌｉａｎｔｈｕｓ）種間ハイブリッドＹｅｌｌｏｗ  Ｄａｒｋ  Ｃｅｎｔｒｅ  ７００５２８２８（ＳＵＯ２２＝ＳＵＬ１）の種子は、ブタペスト条約の約定に基づいて、２０１４年１月１０日に番号ＮＣＩＭＢ４２２００でＮＣＩＭＢ（Ｃｒａｉｂｓｔｏｎｅ，Ａｂｅｒｄｅｅｎ，ＵＫ）に寄託されている。
【００７８】
種子の寄託は、Ｓｙｎｇｅｎｔａ  Ｐａｒｔｉｃｉｐａｔｉｏｎｓ  ＡＧ，Ｂａｓｅｌ  ４００２，Ｓｗｉｔｚｅｒｌａｎｄの名において行われた。
【実施例】
【００７９】
以下の実施例は、本発明のいくつかの実施形態をより詳細に説明するために提供される。しかしながら、これらは決して本発明の広い範囲を限定すると解釈されてはならない。当業者は、本発明の範囲から逸脱することなく本明細書に開示される原理の多数の変更及び修正を容易に考案することができる。
【００８０】
実施例１
親系統
Ｊｕｎｉｏｒは市販の細胞質不稔性ハイブリッドであり、これを雌植物として使用して、４世代の間、同系交配させたＳｙｎｇｅｎｔａの育種プログラムにおいて使用される花粉植物と交雑させた。この交雑種は２００８年９月に作られた。
【００８１】
花粉親の系統は、Ｓｙｎｇｅｎｔａの育種プログラムにおいて使用されるＨ．アルゴフィルス（Ｈ．ａｒｇｏｐｈｙｌｌｕｓ）変種から発育させた。カリフォルニア州ギルロイ（Ｇｉｌｒｏｙ，Ｃａｌｉｆｏｒｎｉａ）のＳｙｎｇｅｎｔａの敷地において２００８年５月に畑に植え、放任受粉（ＯＰ）させた種子を畑の選択した植物から採取した。収穫したＯＰ種子を２００８年３月に温室内に植えて、試験用に７５本の植物を得た。試験から単一の植物を選択した。この植物から自然に落ちた種子を収穫し、２００９年９月にギルロイ（Ｇｉｌｒｏｙ）で温室内に植えた。集団から植物を選択し、上記の雌親Ｊｕｎｉｏｒに交雑させた。種間ハイブリッドを作るために、この単一の植物を真の近交系にさらに発育させた。２０１０年及び２０１１年に、ギルロイ（Ｇｉｌｒｏｙ）及びオランダのエンクホイゼン（Ｅｎｋｈｕｉｚｅｎ）の両方のＳｙｎｇｅｎｔａ所有のいくつかの場所において、このハイブリッドＳＵ０２２＝ＳＵＬ１を温室及び畑で試験及び評価した。
【００８２】
実施例２
植物の測定データ
植物の測定データは、花粉親系統Ｈ．アルゴフィルス（Ｈ．ａｒｇｏｐｈｙｌｌｕｓ）、種子親系統Ｈ．アンヌウス（Ｈ．ａｎｎｕｕｓ）、及びＳＵＯ２２＝ＳＵＬ１から得た。得られた測定値は以下の表に示される。
【００８３】
【表１】
2018521668.tif 000003
【００８４】
色測定は、王立園芸協会（Ｒｏｙａｌ  Ｈｏｒｔｉｃｕｌｔｕｒａｌ  Ｓｏｃｉｅｔｙ）（ＲＨＳ）スケールを用いて記録する。ＳＵＬ２２＝ＳＵＬ１について、植物の高さ、幅及び第２の花の直径データも記録した。ＳＵＬ２２＝ＳＵＬ１及びヒマワリ「Ｂａｌｌａｄ」について、花の総数及び植物あたりの平均を記録した。ヒマワリ「Ｂａｌｌａｄ」について、植物の高さ及び植物あたりの平均高さを記録した。得られた測定値は、以下の表に示される。
【００８５】
【表２】
2018521668.tif 000004
【００８６】
【表３】
2018521668.tif 000005
【００８７】
【表４】
2018521668.tif 000006
【００８８】
【表５】
2018521668.tif 000007
【００８９】
【表６】
2018521668.tif 000008
【図１】
2018521668.tif 000009
【国際調査報告】
2018521668.tif 000010
2018521668.tif 000011